(57)【要約】【課題】電源投入後、ユーザの所望する機能を直ぐに使用可能な状態にすることができる画像形成装置の提供。【解決手段】複数の機能を有している画像形成装置１は、表示パネル５ａと、選択ボタン５ｃ〜５ｅと、電源ボタン５ｉと、制御部４６とを備える。表示パネル５ａは、複数の機能に関する操作画面を表示する。選択ボタン５ｃ〜５ｅは、機能を選択可能に機能毎に複数設けられている。電源ボタン５ｉは、画像形成装置１をオン及びオフさせるためのものである。制御部４６は、画像形成装置１がオフしている状態の時に選択ボタン５ｃ〜５ｅが押されながら電源ボタン５ｉが押されると、押された選択ボタン５ｃ〜５ｅに対応する第１機能を、第１機能を除く残りの機能よりも早く起動させると共に、第１機能に関する操作画面を表示パネル５ａに表示させる。【選択図】図７
2008241841.tif 000002
【特許請求の範囲】
【請求項１】
複数の機能を有している画像形成装置であって、
複数の前記機能に関する操作画面を表示可能な表示部と、
前記機能を選択可能に前記機能毎に設けられている複数の選択ボタンと、
前記画像形成装置の電源をオン及びオフさせるための電源ボタンと、
前記画像形成装置の電源がオフしている状態の時に前記選択ボタンが押されながら前記電源ボタンが押された場合、押された前記選択ボタンに対応する第１機能を、前記第１機能を除く残りの前記機能よりも早く起動させると共に、前記第１機能に関する前記操作画面が前記表示部に表示されるように前記表示部を制御する制御部と、
を備える画像形成装置。
【請求項２】
前記機能毎に設けられた複数のＬＥＤを更に備え、
前記制御部は、前記画像形成装置の電源がオフしている状態の時に前記選択ボタンが押されながら前記電源ボタンが押された場合、前記第１機能に対応する前記ＬＥＤが点灯するように、前記ＬＥＤを更に制御する、請求項１に記載の画像形成装置。
【請求項３】
前記制御部は、前記画像形成装置の電源がオフしている状態の時に前記選択ボタンが押されながら前記電源ボタンが押された場合、前記第１機能を除く残りの前記機能に対応する前記ＬＥＤが点滅するように、前記ＬＥＤを更に制御する、請求項２に記載の画像形成装置。
【請求項４】
前記制御部は、残りの前記機能の起動完了後、残りの前記機能に対応する前記ＬＥＤが消灯するように、前記ＬＥＤを更に制御する、請求項３に記載の画像形成装置。
【請求項５】
残りの前記機能に対応する前記ＬＥＤが点滅している間に、残りの前記機能の中から第２機能に対応する前記選択ボタンが押された場合、前記制御部は、前記第２機能が、未だ起動を完了していない前記機能よりも早く起動するように、前記第２機能の起動順を制御する、請求項３または４に記載の画像形成装置。
【発明の詳細な説明】
【技術分野】
【０００１】
本発明は、画像形成装置、特に、複数の機能を有している画像形成装置に関する。
【背景技術】
【０００２】
近年の画像形成装置には、例えば複合機のように、コピーやＦＡＸ、プリンタ等の様々な機能を有しているものがある。
【０００３】
このような画像形成装置では、電源がオンされると、まずは画像形成装置本体の制御を行うためのプログラムが起動し、次いで各機能が起動する。各機能の起動が完了すると、各機能を選択するための選択画面が画像形成装置の表示部に表示される。即ち、画像形成装置の表示部に選択画面が表示されるためには、各機能の起動が完了している必要がある。従って、電源がオンされてから選択画面が表示されるまでには、長い時間がかかってしまう。
【０００４】
そこで、特許文献１には、画像形成装置本体の制御を行う本体制御部と、表示部を制御するための表示制御部とを別々に設け、各制御部がそれぞれパラレルに画像形成装置本体及び表示制御部の制御を行う画像形成装置が開示されている。これにより、電源がオンされてから選択画面が表示されるまでの時間が短縮される。
【０００５】
また、関連する技術としては、特許文献２に示すものが知られている。
【特許文献１】特開２００５−２０２１０５号公報
【特許文献２】特開２００４−２２２２３４号公報
【発明の開示】
【発明が解決しようとする課題】
【０００６】
ところで、ユーザは、画像形成装置の電源をオンさせて選択画面が表示部に表示されてから、用いたい機能を選択する。そのため、ユーザが画像形成装置の電源をオンさせてから所望の機能を実際に使用できるようになるまでには、時間がかかってしまう。
【０００７】
また、他には、画像形成装置の起動後に表示される初期の画面を選択画面以外にユーザが設定可能な画像形成装置も知られている。この画像形成装置によると、ユーザは、例えばよく用いる機能の操作画面が初期の画面として表示されるように設定することができる。しかし、このような画像形成装置では、設定された機能以外の機能を電源投入後直ぐに用いたい場合、ユーザは、初期の画面の設定を変更するか、または既に設定済みの初期の画面が表示された後に、他の機能を選択し直す必要がある。従って、必ずしもユーザの利便性が高いとは言い難い。
【０００８】
そこで、本発明では、画像形成装置の電源投入後、ユーザが所望する機能を直ぐに用いることができる画像形成装置の提供を目的とする。
【課題を解決するための手段】
【０００９】
発明１に係る画像形成装置は、複数の機能を有している画像形成装置であって、表示部と、複数の選択ボタンと、電源ボタンと、制御部とを備える。表示部は、複数の機能に関する操作画面を表示する。複数の選択ボタンは、機能を選択可能に機能毎に設けられている。電源ボタンは、画像形成装置の電源をオン及びオフさせるためのボタンである。制御部は、画像形成装置の電源がオフしている状態の時に選択ボタンが押されながら電源ボタンが押された場合、押された選択ボタンに対応する第１機能を、第１機能を除く残りの機能よりも早く起動させると共に、第１機能に関する操作画面が表示部に表示されるように表示部を制御する。
【００１０】
この画像形成装置では、起動時に、第１機能の選択ボタンが押されながら電源ボタンが押されると、他の機能よりも先に第１機能が起動し、表示部には第１機能に関する操作画面が表示される。これにより、ユーザは、画像形成装置の電源をオンさせて各機能が起動されてから第１機能を選択する場合よりも、第１機能を早く使用することができるため、ユーザの操作性が向上する。
【００１１】
発明２に係る画像形成装置は、発明１に係る画像形成装置であって、機能毎に設けられた複数のＬＥＤを更に備える。そして、制御部は、画像形成装置の電源がオフしている状態の時に選択ボタンが押されながら電源ボタンが押された場合、第１機能に対応するＬＥＤが点灯するように、ＬＥＤを更に制御する。
【００１２】
これにより、ユーザは、どの機能が優先的に起動するかを、点灯しているＬＥＤを通じて確認することができる。
【００１３】
発明３に係る画像形成装置は、発明２に係る画像形成装置であって、制御部は、画像形成装置の電源がオフしている状態の時に選択ボタンが押されながら電源ボタンが押された場合、第１機能を除く残りの機能に対応するＬＥＤが点滅するように、ＬＥＤを更に制御する。
【００１４】
この画像形成装置によると、選択されなかった機能のＬＥＤは点滅した状態となる。従って、ユーザは、選択しなかった機能を、ＬＥＤを通じて確認することができる。
【００１５】
発明４に係る画像形成装置は、発明３に係る画像形成装置であって、制御部は、残りの機能の起動完了後、残りの機能に対応するＬＥＤが消灯するように、ＬＥＤを更に制御する。
【００１６】
この画像形成装置によると、選択されなかった機能のＬＥＤは、起動するまでは点滅し、起動が完了すると消灯する。従って、ユーザは、選択しなかった機能が実行可能な状態になったことを、ＬＥＤを通じて知ることができる。
【００１７】
発明５に係る画像形成装置は、発明３または４に係る画像形成装置であって、残りの機能に対応するＬＥＤが点滅している間に、残りの機能の中から第２機能に対応する選択ボタンが押された場合、制御部は、第２機能が、未だ起動を完了していない機能よりも早く起動するように、第２機能の起動順を制御する。
【００１８】
これにより、画像形成装置は、第２機能を、起動完了していない機能の中ではいち早く起動するようになる。このように、ユーザは、第１機能を選択した後、第１機能よりも遅く起動する機能の中から、第１機能の次に使用したい機能を選択することで、起動順を変えることができる。
【発明の効果】
【００１９】
本発明の画像形成装置によると、画像形成装置の電源投入後、ユーザは、所望する機能を直ぐに用いることができる。
【発明を実施するための最良の形態】
【００２０】
（１）構成
図１は、本実施形態に係る画像形成装置の外観図である。この画像形成装置１は、公衆回線を介してＦＡＸ装置やＰＣ等の外部装置と接続されている他、ＩＰネットワークを介してＰＣ等の外部装置と接続されている。従って、この画像形成装置１には、ＦＡＸ番号やＩＰアドレスが割り当てられている。
【００２１】
また、この画像形成装置１は、ＦＡＸ番号を用いたＦＡＸ送信やＩＰネットワークを介してのメール送信により画像データをＰＣ等の外部装置に送信するセンド機能や、コピー機能、後述する原稿読み取り部４２により読み取られた画像データや、外部装置から取得した画像データを整理して格納可能なドキュメントボックス機能等の複数の機能を有している複合機の機種である。
【００２２】
図１の画像形成装置１は、原稿カバー３、本体部４、操作パネル５、給紙カセット６及び排紙トレイ７を含む。
【００２３】
原稿カバー３と対向する本体部４の部分には、原稿載置台２が設けられている。原稿カバー３は、原稿載置台２上に載置された原稿を押さえるためのものであって、原稿載置台２に対して開閉自在に本体部４に装着されている。
【００２４】
本体部４は、図２に示すように、通信部４１と、原稿読み取り部４２と、画像形成部４３と、電源部４４と、記憶部４５と、制御部４６とを含む。
【００２５】
通信部４１は、画像形成装置１が接続されている外部装置と通信を行う。特に、通信部４１は、センド機能が選択された場合には、画像データをメール送信またはＦＡＸ送信する。
【００２６】
原稿読み取り部４２は、原稿載置台２に載置された原稿を読み取って画像データを取得するためのものであって、図示しない光学系を有している。
【００２７】
画像形成部４３は、画像データに基づいてトナー像を形成する。尚、トナー像は、転写装置（図示せず）により用紙に転写された後、定着装置（図示せず）により定着される。
【００２８】
電源部４４は、画像形成装置１が有する各機能部に電源電圧を供給する。
【００２９】
記憶部４５は、制御部４６により読み出されて実行される各種プログラムや、原稿読み取り部４２により読み取られた画像データ等を記憶している。
【００３０】
制御部４６は、ＣＰＵやメモリを含むマイクロコンピュータで構成されており、図２に示すように、通信部４１、原稿読み取り部４２、画像形成部４３、電源部４４、記憶部４５及び操作パネル５と接続されている。制御部４６は、画像形成処理や接続されている各入出部の動作の制御等を行う。尚、制御部４６については、「（２）制御部の構成」で詳述する。
【００３１】
操作パネル５は、図１に示すように、本体部４において原稿載置台２の手前側部分に設けられており、図３に示すように、表示パネル５ａ、テンキー５ｂ、コピーボタン５ｃ、センドボタン５ｄ、ドキュメントボックスボタン５ｅ及び電源ボタン５ｉ等を有している。
【００３２】
表示パネル５ａは、例えば液晶ディスプレイで構成されるタッチパネルであって、図４、図５及び図６に示すような各種機能に関する操作画面等を表示する。ここで、図４〜図６の操作画面は、それぞれコピー機能に関する操作画面、センド機能に関する操作画面、ドキュメントボックス機能に関する操作画面を示す。
【００３３】
テンキー５ｂは、ユーザが各種設定を行う時に用いられるキーである。コピーボタン５ｃ、センドボタン５ｄ及びドキュメントボックスボタン５ｅ（いづれも選択ボタンに相当）は、それぞれコピー機能、センド機能及びドキュメントボックス機能毎に設けられたボタンであって、ユーザは、これらの各選択ボタン５ｃ〜５ｅを押すことで、それぞれの機能を選択することができる。電源ボタン５ｉは、画像形成装置１の電源部４４をオン及びオフさせるためのボタンである。尚、以下では、説明の便宜上、押された選択ボタン５ｃ〜５ｅに対応する機能を第１機能という。
【００３４】
また、操作パネル５には、図３に示すように、コピーボタン５ｃ、センドボタン５ｄ及びドキュメントボックスボタン５ｅそれぞれ対応して、ＬＥＤ５ｆ，５ｇ，５ｈが１つずつ設けられている。ＬＥＤ５ｆ〜５ｈは、点灯や点滅、消灯することにより、各機能の状態を知らせるためのものである。
【００３５】
ここで、本実施形態に係る操作パネル５について具体的に説明する。本実施形態では、電源部４４がオフしている状態の時、ユーザが電源ボタン５ｉを押しながら所望する機能の選択ボタン５ｃ〜５ｅを押すと、押された選択ボタン５ｃ〜５ｅに対応しているＬＥＤ５ｆ〜５ｈが点灯し、押されなかった選択ボタン５ｃ〜５ｅに対応しているＬＥＤ５ｆ〜５ｈは点滅する。そして、表示パネル５ａには、所望の機能（即ち第１機能）に関する操作画面が表示される。やがて押されなかった選択ボタン５ｃ〜５ｅに対応する機能の起動が完了すると、点滅しているＬＥＤ５ｆ〜５ｈは消灯する。
【００３６】
給紙カセット６は、用紙を収納可能であって、図１に示すように本体部４の下方に３段設けられている。
【００３７】
排紙トレイ７は、本体部４の側面に側方に突出するように設けられており、本体部４内部の画像形成部４３により画像が形成された用紙が積載される。
【００３８】
（２）制御部の構成
制御部４６は、操作パネル５の制御や、画像形成装置１が有する複数の機能の起動順を制御する。例えば、画像形成装置１の電源部４４がオフしている状態の時に、選択ボタン５ｃ〜５ｅが押されながら電源ボタン５ｉが押された場合、制御部４６は、押された選択ボタン５ｃ〜５ｅに対応する第１機能を他の機能よりも早く起動させると共に、第１機能に関する操作画面が表示パネル５ａに表示されるように制御する。このような動作を行うため、制御部４６は、図２に示すように、電源制御部４６ａ、ＬＥＤ制御部４６ｂ、起動順制御部４６ｃ及び表示パネル制御部４６ｄとして機能する。
【００３９】
〔電源制御部〕
電源制御部４６ａは、電源部４４のオン及びオフを制御する。例えば、画像形成装置１がオフである状態の時に電源ボタン５ｉが押された場合、電源制御部４６ａは、電源部４４をオンにする。逆に、画像形成装置１がオンである状態の時に電源ボタン５ｉが押された場合、電源制御部４６ａは、電源部４４をオフにする。
【００４０】
〔ＬＥＤ制御部〕
ＬＥＤ制御部４６ｂは、選択ボタン５ｃ〜５ｅの押された時の状態に基づいて、ＬＥＤ５ｆ〜５ｈを制御する。
【００４１】
以下に、電源部４４がオフしている状態の時にコピーボタン５ｃが押されながら電源ボタン５ｉが押された場合について説明する。この場合、ＬＥＤ制御部４６ｂは、押されたコピーボタン５ｃに対応するＬＥＤ５ｆが点灯し、押されなかったセンドボタン５ｄ及びドキュメントボックスボタン５ｅに対応するＬＥＤ５ｇ，５ｈが点滅するように、各ＬＥＤ５ｆ〜５ｈを制御する。そして、押されなかったセンドボタン５ｄ及びドキュメントボックスボタン５ｅに対応するセンド機能及びドキュメントボックス機能が起動を完了すると、ＬＥＤ制御部４６ｂは、それまで点滅していたＬＥＤ５ｇ，５ｈが消灯するように、ＬＥＤ５ｇ，５ｈを制御する。
【００４２】
〔起動順制御部〕
起動順制御部４６ｃは、電源部４４がオフしている状態の時に電源ボタン５ｉが押された時、機能の起動順を制御する。
【００４３】
具体的に、ＬＥＤ制御部４６ｂの説明と同様、電源部４４がオフしている状態の時にコピーボタン５ｃが押されながら電源ボタン５ｉが押された場合について説明する。この場合、起動順制御部４６ｃは、押されたコピーボタン５ｃに対応するコピー機能が残りの機能よりも早く起動するように、コピー機能の起動順を変更する。尚、電源部４４がオフしている状態の時に電源ボタン５ｉのみが押された場合には、起動順制御部４６ｃは、各機能が予め設定されている順番で起動するように制御する。
【００４４】
また、押されたコピーボタン５ｃに対応するＬＥＤ５ｆが点灯し、その他のＬＥＤ５ｇ，５ｈが点滅している状態の時に、センドボタン５ｄが押された場合には、起動順制御部４６ｃは、新たに押されたセンドボタン５ｄに対応するセンド機能（第２機能に相当）が未だ起動を完了してない状態にある機能よりも早く起動するように、センド機能の起動順を変更する。例えば、センドボタン５ｄが押された時に、ＬＥＤ５ｇ，５ｈの２つが未だ点滅している状態であれば、センド機能及びドキュメントボックス機能が未だ起動を完了していない状態にあるため、起動順制御部４６ｃは、ドキュメントボックス機能よりもセンド機能を優先的に起動完了させる。
【００４５】
〔表示パネル制御部〕
表示パネル制御部４６ｄは、表示パネル５ａの制御を行う。
【００４６】
例えば、電源部４４がオフしている状態の時に選択ボタン５ｃ〜５ｅのいずれかが押されながら電源ボタン５ｉが押された場合には、表示パネル制御部４６ｄは、押された選択ボタン５ｃ〜５ｅに対応する第１機能に関する操作画面が表示パネル５ａに表示されるように、表示パネル５ａを制御する。具体的な例としては、電源部４４がオフしている状態の時にコピーボタン５ｃが押されながら電源ボタン５ｉが押された場合には、表示パネル制御部４６ｄは、コピー機能の起動完了後、コピー機能に関する操作画面（図４）が表示パネル５ａに表示されるように、表示パネル５ａを制御する。
【００４７】
また、コピー機能に対応するＬＥＤ５ｆは点灯し残りのＬＥＤ５ｇ，５ｈが点滅している状態において、センドボタン５ｄ及びドキュメントボックスボタン５ｅのうちいずれかが押された場合には、押されたセンドボタン５ｄまたはドキュメントボックスボタン５ｅに対応する機能（即ち第２機能）の起動完了後、この機能に関する操作画面が表示パネル５ａに表示されるように、表示パネル５ａを制御する。
【００４８】
尚、電源部４４がオフしている状態の時に電源ボタン５ｉのみが押された場合には、表示パネル制御部４６ｄは、全ての機能の起動完了後、各機能が選択可能に表示される選択画面か、または画像形成装置１の起動時に表示させるべき初期の画面が既に設定されている場合にはその初期の画面が表示パネル５ａに表示されるように、表示パネル５ａを制御する。
【００４９】
（３）画像形成装置の動作
次に、本実施形態に係る画像形成装置１の動作を、図７を用いて説明する。はじめに、画像形成装置１の電源部４４はオフの状態であるとする。
【００５０】
ステップＳ１：電源ボタン５ｉが押されると、制御部４６の電源制御部４６ａは、電源部４４をオンさせる。
【００５１】
ステップＳ２〜４：ステップＳ１において、電源ボタン５ｉが押された時に、選択ボタン５ｃ〜５ｅのいずれかが押されている場合には（Ｓ２のＹＥＳ）、起動順制御部４６ｃは、押された選択ボタン５ｃ〜５ｅに対応する第１機能を他の機能よりも優先して起動させる（Ｓ３）。そして、ＬＥＤ制御部４６ｂは、第１機能に対応するＬＥＤ５ｆ〜５ｈを点灯させ、その他の機能に対応するＬＥＤ５ｆ〜５ｈを点滅させる（Ｓ４）。
【００５２】
ステップＳ５〜６：第１機能の起動が完了すると（Ｓ５）、表示パネル制御部４６ｄは、第１機能の操作画面を表示パネル５ａに表示させる（Ｓ６）。尚、この時、ＬＥＤ制御部４６ｂは、第１機能に対応するＬＥＤ５ｆ〜５ｈを消灯させてもよい。
【００５３】
ステップＳ７〜８：点滅中のＬＥＤ５ｆ〜５ｈに対応する選択ボタン５ｃ〜５ｅが押された場合には（Ｓ７のＹＥＳ）、起動順制御部４６ｃは、押された選択ボタン５ｃ〜５ｅに対応する第２機能が、まだ起動が完了していない他の機能よりも早く起動するように、第２機能を優先して起動させる（Ｓ８）。
【００５４】
尚、ステップＳ７において、点滅中のＬＥＤ５ｆ〜５ｈに対応する選択ボタン５ｃ〜５ｅが押されなかった場合には（Ｓ７のＮＯ）、画像形成装置１は、ステップＳ１１以降の動作を行う。
【００５５】
ステップＳ９〜１０：第２機能の起動が完了すると（Ｓ９）、表示パネル制御部４６ｄは、第２機能の操作画面を表示パネル５ａに表示させる（Ｓ１０）。
【００５６】
ステップＳ１１〜１２：ステップＳ１０までに押された選択ボタン５ｃ〜５ｅに対応する機能（即ち、第１機能または第１及び第２機能）以外のその他の機能が起動を完了した場合には（Ｓ１１のＹＥＳ）、ＬＥＤ制御部４６ｂは、点滅しているその他の機能のＬＥＤ５ｆ〜５ｈを消灯させる（Ｓ１２）。
【００５７】
尚、ステップＳ１０までに押された選択ボタン５ｃ〜５ｅに対応する機能（即ち、第１機能または第１及び第２機能）以外のその他の機能が起動完了していない場合には（Ｓ１１のＮＯ）、画像形成装置１は、ステップＳ７以降の動作を繰り返す。
【００５８】
ステップＳ１３：電源ボタン５ｉが押された場合には、電源制御部４６ａは電源部４４をオフさせ、画像形成装置１は一連の動作を終了する。
【００５９】
ステップＳ１４：ステップＳ１において単に電源ボタン５ｉのみが押され、選択ボタン５ｃ〜５ｅが押されていない場合には（Ｓ２のＮＯ）、起動順制御部４６ｃは、各機能を、予め設定されている順番で起動させる。そして、表示パネル制御部４６ｄは、選択画面またはユーザにより設定された起動時に表示すべき初期画面を表示パネル５ａに表示させる。
【００６０】
ステップＳ１５〜１６：ユーザの所望する機能が選択されると（Ｓ１５）、表示パネル制御部４６ｄは、選択された機能の操作画面を表示パネル５ａに表示させる。
【００６１】
（４）効果
本実施家形態に係る画像形成装置１では、画像形成装置１がオフしている時に、選択ボタン５ｃ〜５ｅが押されながら電源ボタン５ｉが押されると、押された選択ボタン５ｃ〜５ｅに対応する機能（即ち第１機能）が他の機能よりも先に起動し、表示パネル５ａには第１機能に関する操作画面が表示される。これにより、ユーザは、画像形成装置１をオンさせて各機能が起動されてから所望の機能を選択する場合よりも、所望の機能を早く使用することができるため、ユーザの操作性が向上する。
【００６２】
また、本実施形態に係る画像形成装置１では、各機能毎にＬＥＤ５ｆ〜５ｈが設けられている。このような画像形成装置１では、画像形成装置１がオフしている状態の時に選択ボタン５ｃ〜５ｅが押されながら電源ボタン５ｉが押されると、第１機能に対応するＬＥＤ５ｆ〜５ｈが点灯する。これにより、ユーザは、どの機能が優先的に起動するかを、点灯しているＬＥＤ５ｆ〜５ｈを通じて確認することができる。
【００６３】
また、このような画像形成装置１では、画像形成装置１がオフしている状態の時に選択ボタン５ｃ〜５ｅが押されながら電源ボタン５ｉが押されると、第１機能を除く残りの機能に対応するＬＥＤ５ｆ〜５ｈは点滅する。即ち、選択されなかった機能のＬＥＤ５ｆ〜５ｈは、点滅した状態となる。従って、ユーザは、選択しなかった機能を、ＬＥＤ５ｆ〜５ｈを通じて確認することができる。
【００６４】
更に、このような画像形成装置１では、選択されなかった機能のＬＥＤ５ｆ〜５ｈは、起動するまでは点滅しているが、起動が完了すると消灯する。従って、ユーザは、選択しなかった機能が実行可能な状態になったことを、ＬＥＤ５ｆ〜５ｈを通じて知ることができる。
【００６５】
更に、このような画像形成装置１では、残りの機能に対応するＬＥＤ５ｆ〜５ｈが点滅している間に、点滅しているＬＥＤ５ｆ〜５ｈに対応する選択ボタン５ｃ〜５ｅが押されると、新たに押された選択ボタン５ｃ〜５ｅに対応する機能（即ち第２機能）は、未だ起動を完了していない機能よりも早く起動する。このように、ユーザは、第１機能を選択した後、第１機能よりも遅く起動する機能の中から、第１機能の次に使用したい第２機能を選択することで、起動順を変えることができる。
【００６６】
＜その他の実施形態＞
（ａ）上記実施形態では、図３に示すように、電源ボタン５ｉが操作パネル５上に設けられている場合について説明したが、電源ボタン５ｉの位置は、これに限定されない。例えば、電源ボタン５ｉは、本体部４の側面に設けられていても良い。
【００６７】
（ｂ）上記実施形態では、図７に示すように、ＬＥＤ５ｆ〜５ｈが第１機能の起動完了前に点灯及び点滅する場合について説明したが、ＬＥＤ５ｆ〜５ｈが点灯または点滅するタイミングは、第１機能が起動を完了した後であって、かつ第１機能を除く他の機能が未だ起動を完了してない間であってもよい。
【産業上の利用可能性】
【００６８】
本発明に係る画像形成装置は、複写機、プリンタ及びファクシミリ装置の各機種や、これらの機能に更にスキャナ機能を併せ持つ複合機において適用できる。
【図面の簡単な説明】
【００６９】
【図１】本実施形態に係る画像形成装置の外観図。
【図２】本実施形態に係る画像形成装置の構成を模式的に示す図。
【図３】本実施形態に係る操作パネルの構成を示す図。
【図４】本実施形態に係る表示パネルに表示される操作画面例であって、コピーボタンが押された場合に表示される操作画面例。
【図５】本実施形態に係る表示パネルに表示される操作画面例であって、センドボタンが押された場合に表示される操作画面例。
【図６】本実施形態に係る表示パネルに表示される操作画面例であって、ドキュメントボックスボタンが押された場合に表示される操作画面例。
【図７】本実施形態に係る画像形成装置の動作を説明するためのフロー図。
【符号の説明】
【００７０】
１  画像形成装置
５  操作パネル
５ａ  表示パネル
５ｂ  テンキー
５ｃ，５ｄ，５ｅ  選択ボタン
５ｆ，５ｇ，５ｈ  ＬＥＤ
５ｉ  電源ボタン
４４  電源部
４６  制御部
４６ａ  電源制御部
４６ｂ  起動順制御部
４６ｃ  ＬＥＤ制御部
４６ｄ  表示パネル制御部
【図１】
2008241841.tif 000003
【図２】
2008241841.tif 000004
【図３】
2008241841.tif 000005
【図４】
2008241841.tif 000006
【図５】
2008241841.tif 000007
【図６】
2008241841.tif 000008
【図７】
2008241841.tif 000009